(57)【特許請求の範囲】
【請求項１】
人体に貼着して無害なシート材に光触媒半導体である酸化チタン粒子と、紫外線放射体である自発型紫外線放射体および／又は蓄光型紫外線放射体とを担持させて被覆部としてあることを特徴とした殺菌貼付シート。
【請求項２】
人体に貼着して無害なシート材であって、光触媒半導体を担持させたシート材と紫外線放射体を担持させたシート材を交換可能に重ねて被覆部としてあることを特徴とした殺菌貼付シート。
【請求項３】
人体に貼着して無害なシート材に光触媒半導体と紫外線放射体を担持させて被覆部としてある殺菌貼付シートであって、被覆部の人体に対する貼着面と反対側に紫外線反射層を備えていることを特徴とした殺菌貼付シート。
【請求項４】
人体に貼着して無害なシート材であって、光触媒半導体を担持させたシート材と紫外線放射体を担持させたシート材を交換可能に重ねて被覆部としてあり、被覆部の人体に対する貼着面と反対側に紫外線反射層を備えていることを特徴とした殺菌貼付シート。
【請求項５】
カバーシートの人体貼着側に光触媒機能層と紫外線放射機能層を備えた被覆部を設け、光触媒機能層を分離可能としたことを特徴とした殺菌剤貼付シート。
【請求項６】
カバーシート上に人体貼着面側に向かって順に、紫外線反射層と、紫外線放射層と光触媒機能層を有する被覆部とを設けたことを特徴とした殺菌貼付シート。
【請求項７】
カバーシートの人体貼着側であって被覆部が設けられていない部位に、人体に固定するための接着部を形成してあることを特徴とした請求項５または請求項６のいずれか一つに記載の殺菌貼付シート。
【発明の詳細な説明】
【０００１】
【発明の属する技術分野】
この発明は、細菌の繁殖を抑制したり、殺ろしてしまう機能を発揮する医療用シートに関する。
【０００２】
【従来の技術】
酸化チタンなどの光触媒半導体が比較的波長の長い紫外線によって励起され、その酸化、還元作用で殺菌機能を発揮することは良く知られ、医療分野で利用されている。例えば、特開平３−９４７６２号公報には生体の患部に光触媒半導体を送込み、これに紫外線を照射して励起する方法が提案され、特開平８−２３９７０号公報には光触媒機能によって、ウイルスの感染価を低下させる方法が提案されている。
【０００３】
しかし、切り傷、火傷、できもの、外科手術後の患部あるいは皮膚病患部等（以下、まとめて外傷性患部という）を化膿から保護するために光触媒半導体の殺菌機能が利用されている例は見出せない。このような患部の殺菌や保護には、もっぱら消毒剤が利用されているが、患部の状況によっては薬効が強すぎたり、後に使用する薬剤との関係で利用できない場合がある。
【０００４】
また、殺菌処理後の医療機器を清潔に維持するには消毒空間であるクリーンルームやボックス内に収納するか殺菌灯の照射下に置いておく必要がある。しかし、直ぐに使うものをいちいちクリーンルームに入れるのは面倒であるし、同じ病院内のような短い距離であっても搬送中は殺菌灯の照射下に置くことができない。
【０００５】
【発明が解決しようとする課題】
この発明は、人体の皮膚や粘膜部の殺菌、化膿予防処置材に関し、例えば外傷性患部の応急的な化膿予防処置や清潔な医療機器の細菌による汚染防止を簡易に行える手段の提供を課題とする。
【０００６】
【課題を解決するための手段】
シート材に光触媒半導体を担持させて外傷性患部に対する被覆部とする。
シート材は、第一に人体に接触しても無害であること、柔軟性を有することおよび紫外線を透過することが必要であり、木綿、麻、羊毛などの自然繊維、ポリオレフィン、アセテート、ポリエステル、ナイロン、アクリルなどの合成繊維を素材とした織布、不織布、あるいは編布を主とする。この他にも紙や合成皮革も使用することができる。いずれのものにしても、患部に対して柔らかく、優しい感触のあるテクスチャーのものが好ましい。
【０００７】
光触媒半導体には、ＴｉＯ2 ，ＺｎＯ，ＳｒＴｉＯ3 ，ＣｄＳ，ＣｄＯ，ＣａＰ，ＩｎＰ，Ｉｎ2 Ｏ3 ，ＣａＡｓ，ＢａＴｉＯ3 ，Ｋ2 ＮｂＯ3 ，Ｆｅ2 Ｏ3 ，Ｔａ2 Ｏ5 ，ＷＯ3 ，ＳａＯ2 ，Ｂｉ2 Ｏ3 ，ＮｉＯ，Ｃｕ2 Ｏ，ＳｉＣ，ＳｉＯ2 ，ＭｏＳ2 ，ＭｏＳ3 ，ＩｎＰｂ，ＲｕＯ2 ，ＣｅＯ2 がある。
【０００８】
この内ＴｉＯ2 （酸化チタン）は、市販されていて、人体に無害である上、安価であり、利用しやすい。「ＳＴ−０１］（商品名  石原産業株式会社）は粉末として提供され、「ＴＯゾル」（商品名  株式会社田仲転写）、「ＳＴＳ−０１」（商品名  石原産業株式会社）はゾル状態で提供されている。粉末やゾルを構成しているＴｉＯ2 の粒径は７〜２０ｎｍで非常に細かい。
【０００９】
シート材に対する光触媒半導体の固定（定着）には、スプレー、塗布、浸漬、スパッタリングなど、種々の手段を採用でき、シート材の種類に応じて選択する。ＴｉＯ2 の場合、固定温度は５０℃〜５００℃で比較的幅が広い。また、粘性素材に練り込みペースト状としたものをシートの一面に塗布する方法もある。
【００１０】
このように形成された殺菌貼付シートは、室内の蛍光灯の紫外線や太陽光の紫外線を受けて担持されている光触媒半導体が励起され、表面に付着する細菌を酸化、還元作用で殺菌する。殺菌貼付シートは幅広で長尺のものから１ｃｍ2 程度の小形のものまで種々なサイズのものが可能であり、形も自由である。例えば、幅３０ｃｍ、長さ５０ｃｍのものは、滅菌処理後の手術器具を包み込んで短時間の保管に用いたり、短い距離を運ぶのに用いられる。この場合、殺菌貼付シートに包まれた内部空間はシートの殺菌作用によって、清潔に維持される。
【００１１】
比較的小形の殺菌貼付シートは、外傷箇所を覆うようにして直接にあてがって使用する。あてがった状態を維持するには、殺菌貼付シートの上側から包帯を巻くか、バンドでとめるか、医療用の接着テープを利用する。
【００１２】
このシートのみでは外傷を治癒させる能力はないが、傷を受けた初期に使用して、紫外線によって励起された光触媒半導体が外部から傷口に細菌が侵入するのを阻止したり、傷の表層に既に付着してしまった細菌を殺すのに効果がある。紫外線の強い屋外で使用すると効果が高い。
【００１３】
光触媒半導体の他に、被覆部としてのシート材に紫外線放射体を担持させることがある。
紫外線放射体には自発型と蓄光型があり、自発型紫外線放射体（自発型発光セラミック）は、内部エネルギーを消費して自ら発光する物質で、ラジュウムやプロメチウムの放射崩壊を利用しており、発光スペクトルに紫外線領域を有している。現状ではこのよう成分を含む岩石の精製粉末を固めたものを再度粉砕した破砕微粒子を利用する。粒径は２０〜５０μｍである。
【００１４】
蓄光型紫外線放射体（蓄光型発光セラミック）は、外部のエネルギーを取り込んで蓄積し、その分を放出しながら発光する物質で、やはり、発光スペクトルに紫外線領域を有している。市販品として、「ルミノバ」（商品名  根元特殊化学）、「キプラス」（商品名  株式会社ネクスト・アイ）がある。これらは、高純度のアルミナ、炭酸ストロンチウム、ユウロピウム、ジスプロシウムなどの成分を含んだストロンチウムアルミネート（ＳｒＡｌ2 Ｏ2 ）を主成分としている。なお、これら市販品のなかには、吸湿によって発光性能が大きく低下してしまうものがあるので、ガラスや合成樹脂のマイクロカプセル中に封入するなどして利用する。セラミックタイプの「キプラス」は比較的湿気に強い特性を有している。
【００１５】
シート材に紫外線放射体を担持させるには、光触媒半導体と同様の手段を利用することができる。担持させる量は例えば、１００ｍｇ／ｃｍ2 程度とする。なお、シートの素材が紫外線に分解されやすい合成樹脂繊維を用いている場合には、シートの素材表面にあらかじめシリコンなどのブロック層を形成しておくことが好ましい。また、塩化ビニール系樹脂など紫外線に弱いものを除いて、他の合成樹脂を素材としたシート材の場合には、その素材中に紫外線放射体を混入しておいても良い。塩化ビニール系樹脂を用いる場合には、紫外線吸収材を共に混入して、素材自体が紫外線で分解されてしまうのを弱めることができる。
【００１６】
光触媒半導体の他に、被覆部としてのシート材に紫外線放射体を担持させた殺菌貼付シートでは、被覆部の内部で光触媒半導体の励起に必要な紫外線を自己供給するので、夜間や包帯を厚く巻いた場合など、外部から紫外線の供給がなかったり、困難な時にも殺菌機能を発揮、維持することができる。
【００１７】
蓄光型紫外線放射体は、十分に強い外部紫外線のもとに４〜３０分置くと発光のための外部エネルギーの吸収が飽和し、以後、外部エネルギーを遮断しても約１０００分にわたって発光を続け、光触媒半導体に紫外線を供給する。例えば、吸収する紫外線の波長ピークは３６０ｎｍ、発光紫外線の波長ピークは４４０〜５３０ｎｍである。
【００１８】
なお、光触媒半導体は、無機顔料や金属を添加して組成を調整したり、製造過程での熱処理を調整することによって、光触媒機能の発揮に必要な紫外線の波長（吸収帯）を変えることができる。例えば、ＴｉＯ2 にＣｒＯ3 を少量添加すると、吸収帯は長波長側に移動する。これによって、光触媒半導体の吸収波長を蓄光型紫外線放射体または自発型紫外線放射体の発光スペクトル特性に合せ、光触媒半導体とこれら紫外線放射体とのマッチングを取ることができる。
【００１９】
このように殺菌貼付シートは光触媒機能を備えることが基本であり、これに紫外線放射機能を備えることが好ましいが、それぞれの機能を別個のシート材にもたせ、被覆部として使用するときにこれらシート材を組み合わせて（重ねて）用いることがある。この構成であると、紫外線放射機能を備えたシート材を必要な時にのみ使用することができ、あるいは紫外線放射機能のシート材に対して光触媒機能シート材を交換して使用する等のことができる。
【００２０】
シート材に紫外線放射体を担持させた被覆部に関して、被覆部の人体に対する貼付面と反対側に紫外線反射層を備えることがある。
紫外線反射層は、主としてアルミニウムなどの金属箔、金属を蒸着したフィルムで形成するが、シート材の一面へ直接に金属を蒸着して形成することもある。金属箔やフィルムの場合は、他の機能のシート材に対して必要に応じて使用したり、交換して使用する等のことが可能である。いずれの場合も、反射面が固くなることは禁物で金属箔の場合、７〜１２μｍの厚さとする。
この構成であると、被覆部から外部に放射されてしまう紫外線を光触媒半導体側に反射させて有効に利用することができ、殺菌性能を高めることができる。
【００２１】
被覆部にカバーシートを一体に取付けておくことがある。カバーシートは、ポリエチレンなどの丈夫なフィルムや織布、不織布などで形成し、その内面に被覆部を設ける。被覆部は、前記のように、シート材に光触媒半導体と紫外線放射体を担持させたものである。カバーシートの大きさと形は被覆部を使用する目的や患部箇所によって異なり、被覆部で目的物をくるんだ後その状態を維持できるようにカバーシートの端部どうしを縛れる程の大きさにしたものとか、胴部を回せる程度の大きさから小指を回せる程度の大きさまで、考えられる。この構成は、換言すれば、シート材のみからなる被覆部はくるんだ状態や患部にあてがった状態を維持するのに他の部品である包帯やバンド、テープを必要としたのを、一体に設けたカバーシートにこの機能を持たせものである。
【００２２】
カバーシートに紫外線の透過性能は格別必要ないが、フィルムで形成されている場合には患部が蒸れないよう少なくとも被覆部の箇所にパンチングを施して通気性を持たせる。
【００２３】
カバーシートを有する場合は、被覆部の紫外線放射機能と光触媒機能を分離してそれぞれカバーシート側の紫外線放射層と皮膚あるいは粘膜への貼着部となる光触媒機能層に形成することができる。紫外線放射層は、前記の蓄光型紫外線放射体または自発型紫外線放射体を担持させた織布やこれらの放射体を練り込んだフィルムによって形成した層であり、光触媒機能層は、ＴｉＯ2 などの光触媒半導体を担持させた織布、フィルムあるいは人体に無害で粘稠な基材に光触媒半導体を練り込んだペーストの層である。ペーストの場合を除いて、紫外線放射層と光触媒半導体層は必要に応じて例えば酢酸ビニルエマルジョン系の接着材で一体化される。
【００２４】
この構成であると、紫外線放射層と光触媒機能層に分離されているので、各層を単独で作成すればよく、作成時に相互に影響しあって、それぞれの機能を落としてしまうことがない。また、蓄光型紫外線放射体や自発型紫外線放射体は未だ高価であって、使い捨てが不経済な場合は、紫外線放射層と光触媒半導体層を一体化せず、カバーシートと紫外線放射層に対して光触媒半導体層を交換可能とすることができる。光触媒半導体層を構成している繊維シートなどは、衛生上、使い捨てが原則であるが、医療機器の保護用に使用するものなどでは必要に応じて洗浄し、再使用することもできる。
【００２５】
カバーシートを有する場合は、さらに、被覆部を前記のような紫外線放射体と光触媒半導体を共に粘稠な基材に練り込んだペースト状の共存層とすることができる。製作が容易であり、また、被覆部の厚みを小さくすることができる。共存層の厚さは５００μｍ程度である。
【００２６】
これらのカバーシートを用いる殺菌貼付シートではいずれも、被覆部の人体に対する貼付面と反対側に紫外線反射層を備えることがある。紫外線反射層は、前記と同様にアルミニウムなどの金属箔やこれらの金属を蒸着したフィルムあるいはシート材に直接に蒸着した金属で形成される。被覆部において、紫外線放射体が供給する紫外線を効率良く利用することができ、光触媒機能による殺菌性能が向上する。
【００２７】
カバーシートを用いる殺菌貼付シートでは、さらに、カバーシートの内面で人体と接する箇所に接着部を形成することがある。接着部は、合成ゴムや天然ゴムを主材とした感圧接着剤を塗布した箇所で、短期間であれば皮膚に格別の影響はない。この構造は、小形の殺菌貼付シートに採用し、接着部または被覆部も含めた全体にセパレート紙を貼付しておく。携帯に便利であり、手足の小さな傷の応急手当てに効果的である。セパレート紙は、紫外線放射体に外部から紫外線を与えやすいように紫外線に対して透明な素材とすることが好ましい。
【００２８】
なお、カバーシートを用いる殺菌貼付シートにおいて、紫外線反射層は基本的には被覆部の領域に設ければ良いが、それより広い範囲でも良い。場合によっては、カバーシート素材の裏面全体にアルミニウムを蒸着して反射面としておくこともある。
【００２９】
【発明の実施の形態】
図１は、第１の例で、包み込んで使用する型の殺菌貼付シート１を示している。３０ｃｍ×５０ｃｍの木綿織布２（シート材）の全体を「ＴＯゾル」に浸漬し、余分のゾルを絞り取った後、約８０℃のオーブンに１０分入れ、乾燥と光触媒半導体粒子３の固定を行ったものである。光触媒半導体の粒子３は、織布２を構成する糸の表面および繊維間に定着しており、２、３回の洗濯をしても流れ落ちてしまうことはない。
【００３０】
この形態の殺菌貼付シート１は、医療機器などをくるみ、ブラックライトなどの紫外線照射域に配置する。織布２に定着している光触媒半導体が、紫外線によって励起され、その酸化還元作用で外部から浸入する細菌や内部の細菌を殺ろす。また、空気中を浮遊して沈着してくる有機物やすでに内部に浸入した浮遊有機物も光触媒半導体の粒子と接触することにより分解される。
この殺菌貼付シート１の木綿織布２をガーゼのような柔らかい布とすれば、その都度細かく切断して外傷性患部の応急処置用として使用できる。
【００３１】
図２は、第２の例で、やはり包み込んで使用する型の殺菌貼付シート１を示している。３０ｃｍ×５０ｃｍの木綿織布２（シート材）の全体を、まず、「ＴＯゾル」に浸漬し、余分のゾルを絞り取って乾燥させ、ついで、セラミックタイプの「キプラス」の粉末中を通過させて「キプラス」の粒子４を付着させ、光触媒半導体粒子３と紫外線放射体の粒子４が付着している織布２を約８０℃のオーブンに１０分入れ、これらの粒子３、４の固定を行ったものである。光触媒半導体の粒子３と紫外線放射体の粒子４は、織布２を構成する糸の表面および繊維間に定着しており、２、３回の洗濯をしても流れ落ちてしまうことはない。
【００３２】
この形態の殺菌貼付シート１は、消毒済みの医療機器などをくるんで滅菌状態を維持するために使用する。くるんだ状態をしっかりと維持するには紐や、バンドを用いる。
【００３３】
また、細かく裁断したものを外傷性患部に貼付して使用する。光触媒半導体粒子３による殺菌作用が行われるが、光触媒半導体の励起に必要な紫外線が一緒に定着されている紫外線放射体の粒子４から供給されるので、夜間など外部からの紫外線供給が望めない場合に有効である。
【００３４】
医療や治療とは用途が異なるが、このタイプの殺菌貼付シートは、魚の切り身や肉のブロックに巻き付けて表面の雑菌や空中を浮遊して付着してくる細菌を殺し、鮮度を維持するためにも用いることができる。
【００３５】
図３は、第３の例で、例１、例２の光触媒機能を備えた、あるいは光触媒機能と紫外線放射機能を備えたシート材に紫外線反射層５を形成している。反射層５は厚さ９μm のアルミニウム箔であり、シート材２（被覆部）が人体と接する面と反対側の面に軽く接着剤をスプレーして接着されている。被覆部の通気性が問題となる時は、アルミニウム箔の全面にニードルでパンチングしておく。
【００３６】
図４は、第４の例で、この殺菌貼付シート１は、カバーシート６とその内面の被覆部７で形成されている。カバーシート６は、厚さ３０μm 、幅２０ｃｍ×長さ６０ｃｍのポリエチレンシートで丈夫な素材とされている。被覆部７は、２０ｃｍ×２０ｃｍで比較的大きく、カバーシート６のほぼ中央部に配置され、シート材２としてポリオレフィン系多孔ネットを使用しているが、例３に示した殺菌貼付シートと同じ構造を有する。すなわち、光触媒機能と紫外線放射機能および紫外線反射機能を有する。被覆部７はカバーシート６の内面に接着剤で固定されている。アルミニウム箔の紫外線反射層５はこの例では被覆部７の領域だけであるがこの領域よりも大きくても良く、また、反射層５はアルミニウムの蒸着手段によってカバーシート６の内面側全面に形成されていても良い。
符号８は通気孔でカバーシート６の被覆部領域に一面に設けられている。
【００３７】
この例の殺菌貼付シート１は大形で、また、両側にカバーシート６を余裕をもって有しているので、包み込んで結んだり、火傷等の比較的広い範囲の患部を包み込むようにした後、両端部で縛り、その状態を維持するのが容易である。なお、カバーシート６の両端部の内側にベルクロテープやホックのような掛け止め具を設けておくと、殺菌貼付シートを必要個所に止めておくのに便利である。
【００３８】
図５は、第５の例で、カバーシート６とその内面の被覆部７で殺菌貼付シート１が形成されている。カバーシート６は、厚さ２０μm 、幅３ｃｍ×長さ１２ｃｍのナイロンシートで中央部に被覆部７が接着されている。被覆部７は、３ｃｍ×３ｃｍで小形の患部用に形成してあり、光触媒機能層９と紫外線放射層１０および紫外線反射層５であるアルミ箔とからなる。光触媒機能層９は、エチレングリコールに「ＳＴ−０１」を練り込んだペーストを３００μm 程度に薄く延ばした層であり、紫外線放射層１０は、ポリエチレン繊維に「ルミノバ」を混入した織布で構成している。さらに、この例では、紫外線放射層１０を構成する織布に光触媒機能層９を塗り付けて構成している。
【００３９】
患部を被覆部７で覆うようにして殺菌貼付シート１をあてがい、その端部を医療用テープなどで固定して使用する。患部には、光触媒機能層９が接触し、この層に包含されている光触媒半導体の粒子が患部と接する。この粒子は、その外側の紫外線放射層１０から受ける紫外線によって励起され、殺菌作用を行う。
光触媒機能層９のペーストに消炎剤や抗生物質を練り込んでおくこともできる。
【００４０】
図６は、第６の例で、第５の例と同様であるが、被覆部７において光触媒半導体と紫外線放射体が一つの層に共存した共存層１１として構成されている。紫外線放射体はあらかじめ柔軟性をもつ樹脂の中に混入されており、光触媒半導体は、層を形成している樹脂の表面にコーティングあるいは圧着により固定されている。紫外線放射体と光触媒半導体の共存形態の一つである。使用法は第５の例とほぼ同じであるが、全体としての厚みが小さく柔軟性に富んでいる。
【００４１】
図７は、第７の例で、殺菌貼付シート１がカバーシート６とその内面の被覆部７およびセパレート紙１２で形成されている。カバーシート６は、厚さ２０μm 、幅１５ｍｍ×長さ８０ｍｍのナイロンシートで中央部に被覆部７が接着され、両端部は接着部１３となっている。被覆部７は、水を含まないワックスを基材に「ＳＴ−０１」と「ルミノバ」を共に混入して一つの共存層１１としたものであり、接着部１３は天然ゴムや合成ゴムを塗布して、感圧接着部としたものである。  セパレート紙１２はパラフィン紙でカバーシートとほぼ同じ大きさを備え、通常は両側の接着部１３と被覆部７を覆っているが、外部からの紫外線が透過するようにしてある。被覆部７が共存層１１として１層であり、セパレート紙１２を含めても全体の厚さを０．８ｍｍ程度に小さくすることができる。
【００４２】
使用時はセパレート紙１２を剥がして被覆部７を患部に当て、両側の接着部１３を皮膚に接着して固定する。
第５〜７図では紫外線反射層５をカバーシート６とは別個の部材として示しているが、カバーシート６の内面に金属を蒸着して紫外線反射面とすることもある。
【００４３】
【発明の効果】
請求項１に記載の構成によれば、くるんだり、包むことによって、手軽に滅菌状態を維持することができる。また、外傷性患部にあてがって、包帯等で縛ることにより、応急的な化膿防止処置が安価に提供できる。夜間など紫外線の供給が十分でない環境においても滅菌状態の維持および殺菌機能が維持され、前記の作用効果を発揮する。
【００４４】
請求項２に記載の構成によれば、必要に応じた組合せによって、前記の作用効果を経済的に維持することができる。請求項３に記載の構成によれば、自給する紫外線を有効に利用するので、殺菌効果が高い。
【００４５】
請求項５乃至請求項７に記載の構成によれば、カバーシートを備えることによって、くるんだ状態を維持したり、被覆部を患部にあてがった状態を維持するのが容易になる。また、紫外線放射層および光触媒機能層を別個に作成した後一体化すれば良いので、各層をそれぞれの良好な条件下で作成でき、性能の高い殺菌貼付シートを得ることができる。
【００４６】
請求項５に記載の構成によれば、繊維シートを基材とした光触媒機能層を交換して、殺菌機能を更新したり、光触媒半導体の酸化還元作用による分解物を洗浄した後に再使用したりでき、経済的に性能を維持することができる。
【００４７】
請求項６に記載の構成によれば、カバーシートを備えることによる作用効果に加え、紫外線反射層によって被覆部で自給する紫外線を光触媒機能層で効率良く利用することができ、性能の高い殺菌貼付シートを得ることができる。請求項７に記載の構成によれば、カバーシートの両端部を皮膚へ押圧するだけで殺菌貼付シートを固定することができ、手軽にかつ便利に使用することができる。
【図面の簡単な説明】
【図１】殺菌貼付シート（第１の例）の模式化した斜視図
【図２】殺菌貼付シート（第２の例）の模式化した斜視図
【図３】殺菌貼付シート（第３の例）の模式化した斜視図（一部破断）
【図４】殺菌貼付シート（第４の例）の模式化した斜視図
【図５】殺菌貼付シート（第５の例）の模式化した断面図
【図６】殺菌貼付シート（第６の例）の模式化した断面図
【図７】殺菌貼付シート（第７の例）の模式化した断面図
【符号の説明】
１  殺菌貼付シート
２  織布（シート材）
３  光触媒半導体
４  紫外線放射体
５  紫外線反射層
６  カバーシート
７  被覆部
８  通気孔
９  光触媒機能層
１０  紫外線放射層
１１  共存層
１２  セパレート紙
１３  接着部
【図１】
0003730711.tif 000002
【図２】
0003730711.tif 000003
【図３】
0003730711.tif 000004
【図４】
0003730711.tif 000005
【図５】
0003730711.tif 000006
【図６】
0003730711.tif 000007
【図７】
0003730711.tif 000008